(57)【要約】【課題】窓ガラスの取付け取外しの作業性が良く、ドライバーを使用するときの塗料剥がれや回しにくさを解消できるドアの窓ガラス保持構造を提供する【解決手段】ドアに窓ガラスを取付けるガラス保持枠を用いた窓ガラス保持構造であって、窓ガラスの下縁を保持するガラス保持枠が、ドアに固定的に取付けられ、窓ガラスの下縁を載せる固定枠２０と、固定枠２０に着脱自在に取付けられ、窓ガラスを固定するための押縁３０とからなり、固定枠２０は、窓ガラスの下端と押縁３０を置く載置面２１を備えており、押縁３０を載置面２１に取付ける係合手段として、押縁３０には係合片が形成され、載置面２１には係合片を引掛ける係合部が形成されている。押縁３０の係合片を載置面２１の係合部に引掛けることで窓ガラスを立上り縁２２と押縁３０で挟んで固定でき、窓ガラスを取外すときは押縁３０の係合を外すだけで窓ガラスの交換が容易に行える。【選択図】図１
0003141585.tif 000002
【実用新案登録請求の範囲】
【請求項１】
ドアに窓ガラスを取付けるガラス保持枠を用いた窓ガラス保持構造であって、
前記窓ガラスの下縁を保持するガラス保持枠が、
前記ドアに固定的に取付けられ、窓ガラスの下縁を載せる固定枠と、
該固定枠に着脱自在に取付けられ、窓ガラスを固定するための押縁とからなり、
前記固定枠は、前記窓ガラスの下端と前記押縁を置く載置面を備えており、
前記押縁を前記載置面に取付ける係合手段として、
前記押縁には係合片が形成され、
前記載置面には前記係合片を引掛ける係合部が形成されている
ことを特徴とするドアの窓ガラス保持構造。
【請求項２】
前記押縁と共に前記窓ガラスの下縁を挟む立上り縁が、前記固定枠の載置面上に形成されている
ことを特徴とする請求項１記載のドアの窓ガラス保持構造。
【請求項３】
前記押縁と共に前記窓ガラスの下縁を挟む立上り縁が、前記ドアの表面材を上向きに延長させて構成されている
ことを特徴とする請求項１記載のドアの窓ガラス保持構造。
【請求項４】
前記押縁が、天面と前後の縦側面からなり、前記天面が水平になっている
ことを特徴とする請求項１記載のドアの窓ガラス保持構造。
【請求項５】
前記押縁が、天面と前後の縦側面からなり、前記天面が傾斜している
ことを特徴とする請求項１記載のドアの窓ガラス保持構造。
【請求項６】
前記係合手段に加え、前記押縁をガラス側に対して押し付けた状態で拘束する拘束片を設けている
ことを特徴とする請求項１記載のドアの窓ガラス保持構造。
【考案の詳細な説明】
【技術分野】
【０００１】
本考案は、ドアの窓ガラス保持構造に関する。さらに詳しくは、窓ガラスの四辺をガラス保持枠でドア体に取付けるドアの窓ガラス保持構造に関する。
【背景技術】
【０００２】
従来のドアの窓ガラス保持構造の一例として、特許文献１に示されたものがある。その構造を図５に基づき、説明する。
同図において、（Ｃ）はドアの全体正面図であり、Ｇはガラス、１はドアを構成する鋼板等の表面材を示している。（Ａ）は（Ｃ）図のＡ−Ａ線縦断面図である。（Ｂ）は（Ｃ）図のＢ−Ｂ線横断面図であるが左右両側とも同形状である。
窓ガラスＧの四辺のうち、上縁と左右の側縁は嵌め込み構造の保持枠１０を用いており、下辺は着脱構造の保持枠５０を用いている。
【０００３】
図５の（Ａ），（Ｂ）に示すように、前記保持枠１０は、断面視において、中央部が凹んだ保持溝１１であり、その両側がガラスＧを挟む立上り縁１２，１３となっている。この保持枠１０は表側と裏側の表面材１，１に挟まれて固定されている。そして、ガラスＧはバックアップ材１４とシーリング材１５を表裏両面に介在させて保持溝１１内に嵌り、両側の立上り縁１２，１３で挟まれて動かないように保持されている。
【０００４】
図５の（Ａ）に示すように、ガラスＧの下縁の保持枠５０は、平坦な載置面５１とその一端から立ち上るように形成した立上り縁５２とからなる。この保持枠５０も表側と裏側の表面材１，１に挟まれて固定されている。そして、載置面５１はガラスＧの下端を置くスペースを有し、着脱自在な押縁５３とが設置される。通常、ガラスＧの下端はセッティングブロック１６を置き、ガラスＧの表裏両面にはバックアップ材１４とシーリング材１５を介在させ、押縁５３を押し当てておいて、押縁５３をビス５４で載置面５１にねじ止めして固定している。
【０００５】
上記従来例の場合、押縁５３にビス５４が露出するので美感を損ねるという問題がある。したがって、デザインを重視するドアには向かない。また、ガラスＧを取付け取外しする際には、ビス５４を脱着する必要があるので、多くの工数を要し作業性が良くない。しかも、ガラスＧが破損した際、押縁５３を取外すが、その時ビス５４を回す時にビス５４の周りの塗料が剥がれることがある。
さらに、図６に示すように、窓ガラスＧが小さい場合ドライバーＤを斜めにしないと、ビス５４を回せないので、作業性が悪いという問題もある。
【０００６】
【特許文献１】特開平８−１２８２７７
【考案の開示】
【考案が解決しようとする課題】
【０００７】
本考案は上記事情に鑑み、窓ガラスの取付け取外しの作業性が良く、ドライバーを使用するときの塗料剥がれや回しにくさを解消できるドアの窓ガラス保持構造を提供することを目的とする。また、意匠的に優れた美感を演出しやすいドアの窓ガラス保持構造を提供することを目的とする。
【課題を解決するための手段】
【０００８】
第１考案のドアの窓ガラス保持構造は、ドアに窓ガラスを取付けるガラス保持枠を用いた窓ガラス保持構造であって、前記窓ガラスの下縁を保持するガラス保持枠が、前記ドアに固定的に取付けられ、窓ガラスの下縁を載せる固定枠と、該固定枠に着脱自在に取付けられ、窓ガラスを固定するための押縁とからなり、前記固定枠は、前記窓ガラスの下端と前記押縁を置く載置面を備えており、前記押縁を前記載置面に取付ける係合手段として、前記押縁には係合片が形成され、前記載置面には前記係合片を引掛ける係合部が形成されていることを特徴とする。
第２考案のドアの窓ガラス保持構造は、第１考案において、前記押縁と共に前記窓ガラスの下縁を挟む立上り縁が、前記固定枠の載置面上に形成されていることを特徴とする。
第３考案のドアの窓ガラス保持構造は、第１考案において、前記押縁と共に前記窓ガラスの下縁を挟む立上り縁が、前記ドアの表面材を上向きに延長させて構成されていることを特徴とする。
第４考案のドアの窓ガラス保持構造は、第１考案において、前記押縁が、天面と前後の縦側面からなり、前記天面が水平になっていることを特徴とする。
第５考案のドアの窓ガラス保持構造は、第１考案において、前記押縁が、天面と前後の縦側面からなり、前記天面が傾斜していることを特徴とする。
第６考案のドアの窓ガラス保持構造は、第１考案において、前記係合手段に加え、前記押縁をガラス側に対して押し付けた状態で拘束する拘束片を設けていることを特徴とする。
【考案の効果】
【０００９】
第１考案によれば、つぎの効果を奏する。
ａ）押縁の係合片を載置面の係合部に引掛けることで窓ガラスを立上り縁と押縁で挟んで固定でき、窓ガラスを取外すときは押縁の係合を外すだけで窓ガラスの交換が容易に行える。このように、ガラスを施工する際に、ビスの脱着をする必要が無いので、施工時間の短縮が図れる。
ｂ）押縁にビスが露出しないので、スッキリしたデザインとなる。
ｃ）ビスを回す必要がないので、押縁を取外す際に、塗料が剥がれる心配がない。
ｄ）窓ガラスが小さく、ドライバーでビスを回すことが困難な場合でも施工が容易に行える。
第２考案によれば、固定枠自体に立上り縁が形成されているので、断面形状に水平成分と垂直成分が生じ、固定枠自体の剛性が上り、ドアの剛性も高くなる。
第３考案によれば、ドアの表面材を延長させた部分で立上り縁の機能を代替させているので、固定枠に立上り縁を形成する必要がなく、厚さの薄いドアにも適用できる。
第４考案によれば、押縁が断面逆Ｕ字形になるので、強度を高くすることができる。
第５考案によれば、押縁の天面が傾斜していることによって、斬新なデザインとなり、また埃等を除く掃除がしやすくなる。
第６考案によれば、押縁を係合した状態で拘束片により押縁が不動状態に規制されるので、窓ガラスの固定がより確実となる。
【考案を実施するための最良の形態】
【００１０】
つぎに、本考案の実施形態を図面に基づき説明する。
図１は本考案の第１実施形態の窓ガラス保持構造を示し、（Ａ）図は（Ｃ）図のＡ−Ａ線縦断面図、（Ｂ）図は（Ｃ）図のＢ−Ｂ線横断面図、（Ｃ）図はドアの概略正面図である。図２は図１に示す押縁と固定枠の斜視図である。
【００１１】
まず、図１に基づき、窓ガラス保持構造の基本構造を説明する。
同図（Ｃ）に示すように、Ｇはガラス、１はドアを構成する鋼板等の表面材である。窓ガラスＧの四辺のうち、上縁と左右の側縁は従来例と同様の嵌め込み構造の保持枠１０を用いているので、同一符号を付して説明は省略する。下縁は本考案に係わる保持枠２０を用いて取付けられている。
【００１２】
本考案の窓ガラス保持構造図１の（Ａ）および図２に基づき説明する。
この保持構造は、ドアの表側と裏側の表面材１，１に固定的に取付けられる固定枠２０と、この固定枠２０に着脱自在に取付けられる押縁３０とからなる。この固定枠２０は、平坦であり、窓ガラスの下端と押縁３０を置く載置面２１とその一端から立ち上った立上り縁２２とを１枚物の鋼板で形成した枠材である。なお、この形状は固定枠２０自体に水平成分と垂直成分が生ずるので、固定枠２０の剛性が高くなり、ドアの剛性も高くなるという利点がある。
通常、窓ガラスＧの下端にはセッティングブロック１６を置き、ガラス下縁の両側には、バックアップ材１４とシーリング材１５をそれぞれ配置される。したがって、載置面２１は、これらを配置し、かつ押縁３０を置く奥行き寸法を有するものとなっている。
【００１３】
図１（Ａ）および図２に示す押縁３０は、断面形状が逆Ｕ字形のものである。すなわち、この押縁３０は、天面３１と前後の縦側面３２，３３からなり、天面３１が水平になっている長尺部材である。この形状は、押縁３０自体の強度が高くなるという利点がある。
【００１４】
つぎに、押縁３０を載置面２１に取付ける係合手段を説明する。
前記押縁３０には係合片３４が形成され、載置面２１には係合片３４を引掛ける係合孔２４が形成されている。係合片３４は押縁３０の縦側面３２に部分的に形成されており、長手方向に間隔をあけて適数個設けられている。
この係合片３４は押縁３０と同じ部材を延ばし、かつ折り曲げて形成しているが、別部材を溶接等で固着したものでもよい。係合片３４が折り曲げられているのは、折り曲げ端34aを外れ止めとするためである。
一方、固定枠２０の載置面２１には、係合孔２４が長手方向に間隔をあけて形成されている。この係合孔２４は固定枠２０を作る際に、同時に打抜き加工すること等により形成できる。
【００１５】
図１（Ａ）に示すように、押縁３０の係合片３４は、載置面２１上の係合孔２４に挿入することができ、挿入した状態で、係合片３４の折り曲げ端34aは係合孔２４から抜け出ないように載置面２１の裏面に当接する。すなわち、ガラスＧの下縁両面にバックアップ材１４とシーリング材１５を配置して押縁３０の係合片３４を載置面２１の係合孔２４に差し込むと、係合片３４は係合孔２４の一端側に押し付けられるので、係合片３４の折り曲げ端34aは係合孔２４の縁に当って抜け出ることはなくなる。
【００１６】
このため、押縁３０を固定枠２０に差し込むだけで、ガラスＧを立上り縁２２と押縁３０で挟んで固定することができる。
また、取り外すときは、押縁３０の下側を強く押し込めば、係合片３４の折り曲げ端は係合孔２４の縁から外れるので、係合片３４を抜き取ることができる。そして、押縁３０を外せば、ガラスＧも従前と同様に取り外すことができる。
【００１７】
図１の実施形態において、前記押縁３０は、天面３１が水平になっており、前後の縦側面３２，３３は同一高さとなっている。この構造の押縁３０は強度が高いという利点がある。
これに対し、図３の押縁３０は天面３１が傾斜したものである。前の縦側面３３は後の縦側面３２に対し高さが低くなっているが、この形状の押縁３０は、埃を除く掃除がしやすく、また斬新なデザインを演出することができるという利点がある。
【００１８】
また、図３の実施形態は、固定枠２０に立上り縁を設けないで、ドアを構成する表面材１に設けた例である。すなわち、ドアの表側の表面材１を上方に延長させて、延長させた部分を立上り縁１ａとしたものである。
この構造であると、固定枠２０の奥行き寸法が短くなるので、厚さの薄いドアにも取付けることが可能となる。
【００１９】
図３の実施形態では、上記係合手段に加え、押縁３０をガラス側に押し付けた状態で拘束する拘束片1ｂを設けている。すなわち、ドアの裏側の表面材１を上方に少し立ち上げて、その立上り部分を拘束片１ｂとしたものである。この拘束片１ｂがあると、押縁３０を装着した状態で不動に拘束されるので、係合片３４が係合孔２４から自然に外れることはなく、押縁３０による窓ガラスＧの固定効果が確実となる。
【００２０】
本考案において、押縁３０の係合手段は、着脱が自在で窓ガラスＧの拘束が可能なら、前記例示のものに限られず、種々のタイプを用いることができる。以下、図４に基づき例示する。
（１）図４（Ａ）タイプ
係合片３５は、縦側面３２に対し直交方向に曲げた横曲げタイプである。係合孔２４は、打抜き孔タイプである。係合孔２４に係合片３５を通し引掛けることにより、押縁３０の係合が行える。
【００２１】
（２）図４（Ｂ）タイプ
係合片３５は横曲げタイプである。係合孔２４は設けない代りに、Ｌ字形の引掛け片２５をビスで載置面２１に固定し、係合片３５を挿入する隙間を形成している。引掛け片２５の下面の隙間に係合片３５を挿入すると、押縁３０を載置面２１に固定することができる。
【００２２】
（３）図４（Ｃ）タイプ
係合片３５は横曲げタイプである。係合孔２４は設けない代りに、二つ折りの引掛け片２６をビスで載置面２１に固定し、係合片３５を挿入する隙間を形成している。引掛け片２６の下面の隙間に係合片３５を挿入すると、押縁３０を載置面２１に固定することができる。
【図面の簡単な説明】
【００２３】
【図１】本考案の第１実施形態の窓ガラス保持構造を示し、（Ａ）図は（Ｃ）図のＡ−Ａ線縦断面図、（Ｂ）図は（Ｃ）図のＢ−Ｂ線横断面図、（Ｃ）図はドアの概略正面図である。
【図２】図１に示す押縁と固定枠の斜視図である。
【図３】本考案の第２実施形態における窓ガラス保持構造の縦断面図である。
【図４】（Ａ）図は本考案の第３実施形態の窓ガラス保持構造の縦断面図、（Ｂ）図は本考案の第４実施形態の窓ガラス保持構造の縦断面図、（Ｃ）図は本考案の第５実施形態の窓ガラス保持構造の縦断面図である。
【図５】従来の窓ガラス保持構造を示し、（Ａ）図は（Ｃ）図のＡ−Ａ線断面図、（Ｂ）図は（Ｃ）図のＢ−Ｂ線断面図、（Ｃ）図はドアの概略正面図である。
【図６】従来の窓ガラス保持構造の問題点の説明図である。
【符号の説明】
【００２４】
１        表面材
２０        固定枠
２１        載置面
２２        立上り縁
２４        係合孔
３０        押縁
３４，３５  係合片
【図１】
0003141585.tif 000003
【図２】
0003141585.tif 000004
【図３】
0003141585.tif 000005
【図４】
0003141585.tif 000006
【図５】
0003141585.tif 000007
【図６】
0003141585.tif 000008